(57)【要約】【課題】傾斜ガイドシャフトとカッター保持治具とのかじりによるカッター保持治具の摺動の動作不良が防止され、カッターの位置決め精度の低下が抑制されたトップ反の切断技術を提供する。【解決手段】テキスタイル部材にトッピングゴムを被覆して圧延することにより形成されるトップ反の耳ゴム部をカッターで切断するトップ反の耳ゴム切断装置であって、トップ反の幅方向の中心側に向けて下向きに傾斜して配置される傾斜ガイドシャフトと、傾斜ガイドシャフトに回転可能に取り付けられて傾斜ガイドシャフト上を自重によってトップ反の幅方向の中心側に向けて摺動するカッター保持治具と、カッター保持治具に張力を掛けた状態で取り付けられてトップ反の耳ゴム部を切断するピアノ線で構成されたカッターとを備えており、さらに、傾斜ガイドシャフトとカッター保持治具との間に滑りを発生させる滑り発生手段を備えているトップ反の耳ゴム切断装置。【選択図】図２
2018202715.tif 000002
【特許請求の範囲】
【請求項１】
複数のテキスタイルコードが並列に配置されたテキスタイル部材に、トッピングゴムを被覆して圧延することにより形成されるトップ反の耳ゴム部をカッターで切断するトップ反の耳ゴム切断装置であって、
前記トップ反の幅方向の中心側に向けて下向きに傾斜して配置される傾斜ガイドシャフトと、
前記傾斜ガイドシャフトに回転可能に取り付けられて、前記傾斜ガイドシャフト上を自重によって前記トップ反の幅方向の中心側に向けて摺動するカッター保持治具と、
前記カッター保持治具に張力を掛けた状態で取り付けられて、前記トップ反の耳ゴム部を切断するピアノ線で構成されたカッターとを備えており、
さらに、前記傾斜ガイドシャフトと前記カッター保持治具との間に滑りを発生させる滑り発生手段を備えていることを特徴とするトップ反の耳ゴム切断装置。
【請求項２】
前記滑り発生手段が、前記傾斜ガイドシャフトを回転させることにより滑りを発生させる滑り発生手段であることを特徴とする請求項１に記載のトップ反の耳ゴム切断装置。
【請求項３】
さらに、前記傾斜ガイドシャフトと前記カッター保持治具との間に潤滑油が塗布されていることを特徴とする請求項２に記載のトップ反の耳ゴム切断装置。
【請求項４】
前記カッターを受けるカッター受けローラーと、
前記カッターを前記カッター受けローラーの方向に押し付ける押し付け手段とを備えていることを特徴とする請求項１ないし請求項３のいずれか１項に記載のトップ反の耳ゴム切断装置。
【請求項５】
前記押し付け手段が、前記カッター保持治具から延設されるアームにウエイトを取り付けて構成されていることを特徴とする請求項４に記載のトップ反の耳ゴム切断装置。
【請求項６】
前記ピアノ線の直径が、０．３０〜１．００ｍｍであることを特徴とする請求項１ないし請求項５のいずれか１項に記載のトップ反の耳ゴム切断装置。
【請求項７】
請求項１ないし請求項６のいずれか１項に記載のトップ反の耳ゴム切断装置を備えていることを特徴とするタイヤゴム部材の製造装置。
【発明の詳細な説明】
【技術分野】
【０００１】
本発明は、複数のテキスタイルコードが埋設されたトップ反の耳ゴム部を切断、除去するトップ反の耳ゴム切断装置および前記トップ反の耳ゴム切断装置を備えたタイヤゴム部材の製造装置に関する。
【背景技術】
【０００２】
空気入リタイヤの製造工程においては、複数のテキスタイルコードが平行に配列されたテキスタイル部材をカレンダーロール（圧延ロール）まで繰り出した後、テキスタイル部材の両面にカレンダーロールによってトッピングゴムを被覆することによりシート状のトップ反をタイヤゴム部材として作製するテキスタイルトッピング工程が設けられている。
【０００３】
このとき、作製されたトップ反の幅方向の両側には余分にトッピングゴムが付着して耳ゴム部が形成されるため、従来より、タイヤゴム部材の製造装置にトップ反の耳ゴム切断装置（以下、単に「耳ゴム切断装置」ともいう）を設けて、作製後のトップ反から耳ゴム部を切断、除去することが行われている（例えば、特許文献１）。
【０００４】
この耳ゴム切断装置の一例を図３に示す。図３に示すように、耳ゴム切断装置２は、トップ反の幅方向の中心側、即ち矢印Ｙ方向に向けて下向きに傾斜して配置された傾斜ガイドシャフト１と、傾斜ガイドシャフト１に回転可能に取り付けられ、自重によってトップ反の幅方向の中心側に向けて摺動するカッター保持治具２１と、張力を掛けた状態でカッター保持治具２１に取り付けられたピアノ線で構成されたカッター３とを備えている。
【０００５】
そして、このカッター保持治具２１は、ウエイト２４などの重みによって押し付け手段５を傾斜ガイドシャフト１を中心に矢印Ｘ方向に回転させることにより、カッター保持治具２１に取り付けられたカッター３をカッター受けローラー４に押し付ける。そして、カッター３とカッター受けローラー４とが接触した位置で、カッター受けローラー４に懸架されて所定の張力が掛けられた状態で搬送されてきたトップ反の耳ゴム部をカッター３に通すことにより、耳ゴム部が切断される。
【０００６】
このとき、カッター保持治具２１は、自重によって傾斜ガイドシャフト１上を摺動するように取り付けられており、カッター３にもトップ反の幅方向の中心側に移動しようとする力が作用するが、カッター３を構成するピアノ線はテキスタイル部材を切断することができないため、カッター３はテキスタイル部材の外縁部に近い位置まで移動して停止することになる。この結果、耳ゴム部の切断中にテキスタイル部材の幅が変動したとしても、カッター３は常にテキスタイル部材の外縁部に近い境目部分を切断できるような位置に移動して、テキスタイル部材の変動に自在に追従することができ、耳ゴム部を高い寸法精度の下で切断、除去することができる。
【先行技術文献】
【特許文献】
【０００７】
【特許文献１】特開２０１６−２１５５３９号公報
【発明の概要】
【発明が解決しようとする課題】
【０００８】
しかし、上記した耳ゴム切断装置を長い間使用していると、稼働中に傾斜ガイドシャフト１とカッター保持治具２１との間に、所謂「かじり」が発生してカッター保持治具２１の摺動に動作不良が生じ、カッター３の位置決め精度の低下を招くことがあったため、さらなる改良が望まれている。
【０００９】
そこで、本発明は、傾斜ガイドシャフトとカッター保持治具とのかじりによるカッター保持治具の摺動の動作不良を防止して、カッターの位置決め精度の低下を招かないトップ反の切断技術を提供することを課題とする。
【課題を解決するための手段】
【００１０】
本発明者は、上記の課題を解決するため鋭意検討を行った結果、以下に記載する発明により上記の課題が解決できることを見出し、本発明を完成させるに至った。
【００１１】
請求項１に記載の発明は、
複数のテキスタイルコードが並列に配置されたテキスタイル部材に、トッピングゴムを被覆して圧延することにより形成されるトップ反の耳ゴム部をカッターで切断するトップ反の耳ゴム切断装置であって、
前記トップ反の幅方向の中心側に向けて下向きに傾斜して配置される傾斜ガイドシャフトと、
前記傾斜ガイドシャフトに回転可能に取り付けられて、前記傾斜ガイドシャフト上を自重によって前記トップ反の幅方向の中心側に向けて摺動するカッター保持治具と、
前記カッター保持治具に張力を掛けた状態で取り付けられて、前記トップ反の耳ゴム部を切断するピアノ線で構成されたカッターとを備えており、
さらに、前記傾斜ガイドシャフトと前記カッター保持治具との間に滑りを発生させる滑り発生手段を備えていることを特徴とするトップ反の耳ゴム切断装置である。
【００１２】
請求項２に記載の発明は、
前記滑り発生手段が、前記傾斜ガイドシャフトを回転させることにより滑りを発生させる滑り発生手段であることを特徴とする請求項１に記載のトップ反の耳ゴム切断装置である。
【００１３】
請求項３に記載の発明は、
さらに、前記傾斜ガイドシャフトと前記カッター保持治具との間に潤滑油が塗布されていることを特徴とする請求項２に記載のトップ反の耳ゴム切断装置である。
【００１４】
請求項４に記載の発明は、
前記カッターを受けるカッター受けローラーと、
前記カッターを前記カッター受けローラーの方向に押し付ける押し付け手段とを備えていることを特徴とする請求項１ないし請求項３のいずれか１項に記載のトップ反の耳ゴム切断装置である。
【００１５】
請求項５に記載の発明は、
前記押し付け手段が、前記カッター保持治具から延設されるアームにウエイトを取り付けて構成されていることを特徴とする請求項４に記載のトップ反の耳ゴム切断装置である。
【００１６】
請求項６に記載の発明は、
前記ピアノ線の直径が、０．３０〜１．００ｍｍであることを特徴とする請求項１ないし請求項５のいずれか１項に記載のトップ反の耳ゴム切断装置である。
【００１７】
請求項７に記載の発明は、
請求項１ないし請求項６のいずれか１項に記載のトップ反の耳ゴム切断装置を備えていることを特徴とするタイヤゴム部材の製造装置である。
【発明の効果】
【００１８】
本発明によれば、傾斜ガイドシャフトとカッター保持治具とのかじりによるカッター保持治具の摺動の動作不良を防止して、カッターの位置決め精度の低下を招かないトップ反の切断技術を提供することができる。
【図面の簡単な説明】
【００１９】
【図１】テキスタイルトッピング工程の概略を説明する図である。
【図２】本発明の一実施の形態に係るトップ反の耳ゴム切断装置の要部を示す斜視図である。
【図３】従来のトップ反の耳ゴム切断装置の一例を示す斜視図である。
【発明を実施するための形態】
【００２０】
以下、本発明を実施の形態に基づき、図面を用いて説明する。
【００２１】
［１］テキスタイルトッピング工程
本発明に係るトップ反の耳ゴム切断装置（以下、単に「耳ゴム切断装置」ともいう）は、前記したように、テキスタイルトッピング工程において使用される装置であるため、予め、テキスタイルトッピング工程について説明する。
【００２２】
図１はテキスタイルトッピング工程の概略を説明する図である。図１に示すように、テキスタイルトッピング工程においては、まず、テキスタイル部材ａが、繰り出しロールｂから繰り出されて、所定の張力を加えられながらカレンダーロールｃまで搬送される。
【００２３】
そして、搬送されてきたテキスタイル部材ａは、カレンダーロールｃの間を通過する際に、両面にトッピングゴムｄが圧延、被覆されることにより、テキスタイル部材ａとトッピングゴムｄが一体化されたトップ反ｅが作製される。そして、作製されたトップ反ｅは、その後、巻き取りロールｆに巻き取られる。
【００２４】
このとき、前記したように、作製されたトップ反ｅの幅方向の両側には余分にゴムが付着して耳ゴム部が形成されるため、カレンダーロールｃの下流側に、図示しないカッターおよびカッター受けローラーを備えたトップ反の耳ゴム切断装置を設けて、作製後のトップ反ｅから耳ゴム部を切断、除去した後、巻き取りロールｆに巻き取っている。
【００２５】
［２］トップ反の耳ゴム切断装置
次に、本実施の形態に係るトップ反の耳ゴム切断装置について説明する。
【００２６】
（１）全体構成
図２は本実施の形態に係るトップ反の耳ゴム切断装置の要部を示す斜視図である。図２に示すように、本実施の形態において、耳ゴム切断装置２は、傾斜ガイドシャフト１と耳ゴム切断装置２の間に滑りを発生させる滑り発生手段（図２では、回転駆動装置７）を備えていることを除いては、基本的に、図３に示した従来の耳ゴム切断装置と同じ構成を有している。
【００２７】
即ち、本実施の形態に係るトップ反の耳ゴム切断装置２は、トップ反の幅方向の中心側、即ち矢印Ｙ方向に向けて下向きに傾斜して配置された傾斜ガイドシャフト１と、傾斜ガイドシャフト１に回転可能に取り付けられて、傾斜ガイドシャフト１上を自重によってトップ反の幅方向の中心側に向けて摺動するカッター保持治具２１と、カッター保持治具２１に張力を掛けた状態で取り付けられて、トップ反の耳ゴム部を切断するピアノ線で構成されたカッター３とを備えている。
【００２８】
（２）傾斜ガイドシャフト
傾斜ガイドシャフト１は、カッター保持治具２１が自重によってトップ反の幅方向の中心側に向けて摺動できるように、トップ反の幅方向の中心側に向けて下向きに傾斜して設置されている。そして、この傾斜ガイドシャフト１は、カッター保持治具２１のブッシュ２５に挿通されている。
【００２９】
（３）カッター保持治具
カッター保持治具２１は、一方の端部に傾斜ガイドシャフト１が挿通されるシャフト孔を有しており、シャフト孔にはブッシュ２５が設けられている。
【００３０】
ブッシュ２５には、例えば、ボールベアリングなどを用いた軸受けが設けられており、カッター保持治具２１は、挿通された傾斜ガイドシャフト１によって回転自在かつ軸方向へ摺動自在に支持されている。
【００３１】
（４）カッター
カッター３は、カッター保持治具２１に張力を掛けた状態でピアノ線が取り付けられて構成されている。ピアノ線の直径としては、０．３０〜１．００ｍｍであることが好ましい。
【００３２】
（５）押し付け手段
カッター３が、搬送されてきたトップ反が懸架されているカッター受けローラー４に、カッター保持治具２１の回転に合わせて押し付けられることにより、トップ反の耳ゴム部を切断することができる。このような押し付け手段５は、カッター保持治具２１のアームの一端に、ウエイト２４が取り付けられて構成されている。
【００３３】
このようにウエイト２４を設けることなどにより、挿通された傾斜ガイドシャフト１によってブッシュ２５を介して回転自在に支持されたカッター保持治具２１を、ウエイト２４の重みに応じて、矢印Ｘ方向に向けて回転させることができる。そして、カッター保持治具２１の回転に合わせて、カッター３をカッター受けローラー４の方向に回転させて、押し付ける。そして、カッター３とカッター受けローラー４とが接触した位置で、カッター受けローラー４に懸架されて所定の張力が掛けられた状態で搬送されてきたトップ反の耳ゴム部をカッター３に通すことにより、耳ゴム部が切断される。
【００３４】
なお、上記したウエイトが取り付けられて構成されている押し付け手段に替えて、エアーシリンダーによる圧力を用いた押し付け手段を採用してもよい。
【００３５】
（６）滑り発生手段
しかしながら、上記の構成の耳ゴム切断装置を長い間使用していると、稼働中に傾斜ガイドシャフト１とカッター保持治具２１との間にかじりが発生して、カッター保持治具２１の摺動に動作不良が生じ、カッター３の位置決め精度の低下を招く恐れがある。
【００３６】
そこで、本実施の形態においては、傾斜ガイドシャフト１とブッシュ２５との間に滑り発生手段を設けて、傾斜ガイドシャフト１とカッター保持治具２１との間におけるかじりの発生を抑制している。
【００３７】
滑り発生手段としては、例えば、傾斜ガイドシャフト１を回転させる回転駆動装置７が用いられる。回転駆動装置７を用いて傾斜ガイドシャフト１を回転させることにより、傾斜ガイドシャフト１とブッシュ２５との間に滑りが生じて、カッター保持治具２１を容易に摺動させることができる。この結果、傾斜ガイドシャフト１とカッター保持治具２１とのかじりによる動作不良の発生を防止することができる。
【００３８】
具体的には、回転駆動装置７はモーターＭを備えており、傾斜ガイドシャフト１とモーターＭのシャフトにはそれぞれＶプーリーＰが取り付けられており、これら２つのＶプーリーＰの間にＶベルトＢが架け渡されている。そして、モーターＭを作動させることにより傾斜ガイドシャフト１が回転する。
【００３９】
［３］トップ反の耳ゴム切断装置の動作
次に、本実施の形態に係るトップ反の耳ゴム切断装置の動作を説明する。前記したように、耳ゴム切断装置２は傾斜ガイドシャフト１とカッター保持治具２１とを備えている。傾斜ガイドシャフト１は、トップ反の幅方向の中心側に向けて下向きに傾斜して配置され、カッター保持治具２１は、自重によって傾斜ガイドシャフト１上を摺動するように取り付けられている。このため、カッター３にもトップ反の幅方向の中心側に移動しようとする力が作用する。
【００４０】
一方、カッター３はピアノ線で構成されているため、耳ゴムの切断には適しているものの、切断抵抗の大きいテキスタイル部材を切断することができない。このため、耳ゴム部の切断時、カッター３がテキスタイル部材に当接すると、テキスタイル部材から反力を受けてトップ反の幅方向の中心から離れる方向に移動する（カッター３の移動に合わせてカッター保持治具２１も傾斜ガイドシャフト１上を摺動する。）。
【００４１】
このため、耳ゴム部の切断中にテキスタイル部材の幅が変動することがあっても、カッター３をトップ反のテキスタイル部材と耳ゴムとの境目に常に位置させて、境目部分で切断することができ、トップ反のテキスタイル部材の外側縁に沿って精度高く耳ゴムを切断することができる。
【００４２】
例えば、テキスタイル部材の幅が広い方向に変動した場合には、上記境目部分が外側に移動することになるため、カッター３をトップ反の幅方向の中心から離れる方向に移動させようとして、カッター保持治具２１が傾斜ガイドシャフト１上をトップ反の幅方向の中心から離れる方向（上方）に摺動する。
【００４３】
一方、テキスタイル部材の幅が狭い方向に変動した場合には、上記境目部分が内側に移動することになるため、カッター３をトップ反の幅方向の中心側に向けて移動させようとして、カッター保持治具２１が傾斜ガイドシャフト１上をトップ反の幅方向の中心方向（下方）に摺動する。
【００４４】
この結果、カッター３は常にテキスタイル部材の外縁部に近い上記境目部分を切断できるような位置に移動して、テキスタイル部材の幅寸法の変動に自在に追従するため、精度高く耳ゴムを切断することができる。
【００４５】
本実施の形態に係る耳ゴム切断装置は、上記したように、さらに、傾斜ガイドシャフト１とカッター保持治具２１との間に滑りを発生させる滑り発生手段を備えている。このため、カッター保持治具２１は、上記したカッター３の移動に合わせて、傾斜ガイドシャフト１上をスムースに摺動することが可能となる。
【００４６】
これにより、長い時間使用しても、傾斜ガイドシャフト１とカッター保持治具２１とのかじりによる摺動の動作不良の発生が防止され、カッターの位置決め精度の低下が抑制されるため、切断後のトップ反において耳ゴムを安定して精度高く切断することができる。
【００４７】
なお、滑り発生手段としては、上記した回転駆動装置に替えて、スライドブッシュ、リニアブッシュ等を滑り発生手段として用いてもよい。
【００４８】
なお、傾斜ガイドシャフト１とブッシュ２５との間に潤滑油が塗布されていると、さらに、高い滑り効果が発揮されて好ましい。なお、具体的な潤滑油としては、グリース、鉱物油、合成油、焼き付き防止剤など、一般的に使用される潤滑油を用いることができる。より具体的には、ミネラルオイル、二硫化モリブデンなどである。
【００４９】
そして、このような耳ゴム切断装置をタイヤゴム部材の製造装置に備えることにより、安定した品質のタイヤを製造することができる。
【００５０】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００５１】
１          傾斜ガイドシャフト
２          耳ゴム切断装置
３          カッター
４          カッター受けローラー
５          押し付け手段
７          回転駆動装置
２１        カッター保持治具
２４        ウエイト
２５        ブッシュ
ａ          テキスタイル部材
ｂ          繰り出しロール
ｃ          カレンダーロール
ｄ          トッピングゴム
ｅ          トップ反
ｆ          巻き取りロール
Ｂ          Ｖベルト
Ｍ          モーター
Ｐ          Ｖプーリー
【図１】
2018202715.tif 000003
【図２】
2018202715.tif 000004
【図３】
2018202715.tif 000005